(57)【特許請求の範囲】
【請求項１】
人の数を測定する場所にそれぞれ設置され、予め定めたタイミング毎に自の重量センサに掛かる重量を測定しこの測定した重量データとこの重量データを測定した場所情報とを含む測定データを前記重量を測定する毎に送信する複数の前記重量センサと、
前記重量データを予め定めた時間積算して総重量データを求め、この総重量データを予め定めた人体平均体重で割りこの割った値を前記予め定めた時間における人の数とする人数演算分析装置と、を有し、
前記人数演算分析装置は、
複数の前記重量センサより前記測定データをそれぞれ受けて蓄積し、前記予め定めた時間経過する毎に、この経過した時間期間に蓄積した前記測定データに含まれる前記重量データの総量を前記測定データに含まれる前記場所情報で示す前記重量センサ毎に演算しこの演算した前記総重量データと前記測定データに含まれる前記場所情報と前記予め定めた時間経過したときの時点を示すカレンダーデータとを含む測定演算データを前記場所情報で示す前記重量センサ毎に送信する集中管理装置と、
前記集中管理装置より前記測定演算データを前記場所情報で示す前記重量センサ毎に受け、この測定演算データに含まれる前記総重量データを前記予め定めた人体平均体重で割り、この割った値を、前記測定演算データに含まれる前記カレンダーデータで示す時点における前記場所情報で示す場所での人の数とする人数分析装置と、
を備え、
前記カレンダーデータは年月日時刻データを含み、前記人数分析装置は、前記カレンダーデータに基づいて前記人の数を分析し、前記場所情報で示す場所毎に、日毎の時刻に対応する人数、週毎の曜日に対応する人数、月毎の日にちに対応する人数、年毎の月に対応する人数、そして、年毎の季節に対応する人数のデータを分析結果として出力することを特徴とする人数自動測定システム。
【請求項２】
前記人数分析装置は、前記カレンダーデータで示す時点における前記場所情報で示す場所での前記人の数を表示するようにしたことを特徴とする請求項１記載の人数自動測定システム。
【請求項３】
前記人数演算分析装置とインターネットを含む網により接続する、ユーザ端末とサーバとを更に備えた請求項１記載の人数自動測定システムであって、
前記ユーザ端末は、前記人数演算分析装置の分析結果を前記サーバに要求しこの要求に対応する前記する前記分析結果を前記サーバより受けて表示し、
前記サーバは、前記ユーザ端末より前記要求を受け前記人数演算分析装置にこの要求で示す前記分析結果の送信指示を送り、この送信指示に対応する前記分析結果を前記人数演算分析装置より受け、この分析結果を前記ユーザ端末に送り、
前記人数演算分析装置は、前記サーバより前記分析結果の前記送信指示を受け、この送信指示に対応する分析結果を前記サーバに送るようにしたことを特徴とする人数自動測定システム。
【請求項４】
前記人数演算分析装置とインターネットを含む網により接続する、ユーザ端末とサーバとを更に備えた請求項１記載の人数自動測定システムであって、
前記ユーザ端末は、人の数を知りたい場所を指定する場所指定データと、この場所での知りたい分析結果を指定する分析結果指定データとの入力を受けて、この場所指定データとこの分析結果指定データとを前記サーバに送り、前記サーバより、前記場所指定データが指定した場所での前記分析結果指定データが指定した分析結果を受けて表示し、
前記サーバは、前記ユーザ端末より前記場所指定データと前記分析結果指定データとを受け前記人数演算分析装置に前記場所指定データと前記分析結果指定データとを含む送信指示を送り、前記人数演算分析装置より前記送信指示に対応する前記分析結果を受け、この分析結果を前記ユーザ端末に送り、
前記人数演算分析装置により、前記サーバより前記送信指示を受け、この送信指示に含まれる前記場所指定データが指定する場所での前記分析結果指定データが指定する分析結果を前記サーバに送るようにしたことを特徴とする人数自動測定システム。
【請求項５】
前記重量センサは、交差点、又は商店街の道路を含むエリアに設置され、このエリアを利用する人の数を推定するためにこの重量センサに掛かった重さを測定することを特徴とする請求項１、２、３又は４のいずれか一項に記載の人数自動測定システム。
【請求項６】
人の数を測定する場所にそれぞれ設置されたそれぞれの重量センサが測定した重量データとこの重量データを測定した場所情報とを含むそれぞれの測定データを、前記重量センサが前記重量を測定する毎に、前記重量センサより受けて蓄積し、予め定めた時間経過する毎に、この経過した時間期間に蓄積した前記測定データに含まれる前記重量データの総量を前記測定データに含まれる前記場所情報で示す前記重量センサ毎に演算しこの演算した総重量データと前記場所情報と前記予め定めた時間経過したときの時点を示すカレンダーデータとを含む測定演算データを前記場所情報で示す前記重量センサ毎に出力する集中管理手段と、
前記集中管理手段が出力した前記測定演算データを前記場所情報で示す前記重量センサ毎に受け、この測定演算データに含まれる前記総重量データを予め定めた人体平均体重で割り、この割った値を、前記測定演算データに含まれる前記カレンダーデータで示す時点における前記場所情報で示す場所での人の数とする人数分析手段と、
を備え、
前記カレンダーデータは年月日時刻データを含み、前記人数分析手段は、前記カレンダーデータに基づいて前記人の数を分析し、前記場所情報で示す場所毎に、日毎の時刻に対応する人数、週毎の曜日に対応する人数、月毎の日にちに対応する人数、年毎の月に対応する人数、そして、年毎の季節に対応する人数のデータを分析結果として出力することを特徴とする人数演算分析装置。
【請求項７】
前記人数分析手段が求めた前記人の数を表示する表示手段を更に備えたことを特徴とする請求項６記載の人数演算分析装置。
【請求項８】
前記重量センサは、交差点、又は商店街の道路を含むエリアに設置され、このエリアを利用する人の数を推定するためにこの重量センサに掛かった重さを測定することを特徴とする請求項６又は７記載の人数演算分析装置。
【請求項９】
インターネットを含む網により、予め定めたエリアにいる人の数を演算し分析する人数演算分析装置と、ユーザ端末と、サーバとを接続し、前記ユーザ端末からの要求により前記人数演算分析装置が分析した人の数の分析結果を前記ユーザ端末に表示するようにした人数自動測定方法であって、
人の数を測定するそれぞれの場所に設置された重量センサにより、予め定めたタイミング毎に自の重量センサに掛かる重量を測定しこの測定した重量データとこの重量データを測定した場所情報とを含む測定データを前記重量を測定する毎に送信するステップと、
前記人数演算分析装置により、前記重量センサより前記測定データをそれぞれ受けて蓄積し、予め定めた時間経過する毎に、この経過した時間期間に蓄積した前記測定データに含まれる前記重量データの総量を前記測定データに含まれる前記場所情報で示す前記重量センサ毎に演算して総重量データを求め、総重量データを求める毎にこの求めた総重量データを予め定めた人体平均体重で割り、この割った値を、前記予め定めた時間経過したときの時点における前記場所情報で示す場所での人の数とするステップと、
前記人数演算分析装置により、予め定めた時間経過する毎に求めた前記予め定めた時間経過したときの時点における前記場所情報で示す場所での前記人の数を分析し、前記場所情報で示す場所毎に、日毎の時刻に対応する人数、週毎の曜日に対応する人数、月毎の日にちに対応する人数、年毎の月に対応する人数、そして、年毎の季節に対応する人数のデータを分析結果として出力するステップと、
前記ユーザ端末により、前記人数演算分析装置の分析結果を前記サーバに要求するステップと、
前記サーバにより、前記ユーザ端末より前記要求を受け前記人数演算分析装置にこの要求で示す前記分析結果の送信指示を送るステップと、
前記人数演算分析装置により、前記サーバより前記分析結果の前記送信指示を受け、この送信指示に対応する分析結果を前記サーバに送るステップと、
前記サーバにより、前記送信指示に対応する前記分析結果を前記人数演算分析装置より受け、この分析結果を前記ユーザ端末に送るステップと、
前記ユーザ端末により、前記サーバより前記分析結果を受けて表示するステップと、
を含んだことを特徴とする人数自動測定方法。
【請求項１０】
前記重量センサは、交差点、又は商店街の道路を含むエリアに設置され、このエリアを利用する人の数を推定するためにこの重量センサに掛かった重さを測定することを特徴とする請求項９記載の人数自動測定方法。
【発明の詳細な説明】
【技術分野】
【０００１】
本発明は、人数自動測定システム、人数演算分析装置及び人数自動測定方法に関し、特に予め定めたエリアを利用する人数を測定する人数自動測定システム、人数演算分析装置及び人数自動測定方法に関する。
【背景技術】
【０００２】
従来の、商店街の通行人数等の人数測定調査は、カウント調査用携帯型ターミナルを使用し、調査員が、カウント対象の人を目視したときにこのカウント調査用携帯型ターミナルに備えられたカウンターキーを押し、カウント調査用携帯型ターミナルは、このカウント結果を、指定の時刻毎にメモリに自動記録するようにしている。このため、カウント結果を、作業員が自分でメモリ等に記録しないですむので、調査員の作業負荷が軽減されかつ記録に関する作業ミスがなくなるようにしている（例えば、特許文献１参照）
【特許文献１】特開平６−１８７５２５号公報（第２頁、図１）
【発明の開示】
【発明が解決しようとする課題】
【０００３】
上述した従来の通行人数等の人数測定調査方法は、調査員が、カウント対象の人を目視したときにこのカウント調査用携帯型ターミナルに備えられたカウンターキーを押してカウントするようにしている。このため、人数測定調査をするときに、人数を測定する場所に調査員を派遣する必要があるという問題点がある。また、人数測定調査をするときに、この調査員が目視と手動とによりデータを取得する必要があるので、データが不正確であるという問題点がある。
【０００４】
また、人手によるデータ取得作業は、一般的にサンプル調査のため、２４時間の連続したデータの取得が難しく、このため、通行人数等の人数に関する詳細な分析ができないという問題点がある。
【０００５】
本発明の目的はこのような従来の問題を除去するため、人数測定調査をするときに、人数を測定する場所に調査員を派遣する必要がない人数演算分析装置、人数自動測定システム及び人数自動測定方法を提供することにある。
【０００６】
また、人数測定調査をするときに、人手によりデータを取得する必要がなく、正確なデータの取得ができる人数演算分析装置、人数自動測定システム及び人数自動測定方法を提供することにある。
【０００７】
更に、２４時間の連続したデータの取得ができ、人数に関する詳細な分析ができる、人数演算分析装置、人数自動測定システム及び人数自動測定方法を提供することにある。
【課題を解決するための手段】
【００１１】
本発明の人数自動測定システムは、人の数を測定する場所にそれぞれ設置され、予め定めたタイミング毎に自の重量センサに掛かる重量を測定しこの測定した重量データとこの重量データを測定した場所情報とを含む測定データを前記重量を測定する毎に送信する複数の前記重量センサと、
前記重量データを予め定めた時間積算して総重量データを求め、この総重量データを予め定めた人体平均体重で割りこの割った値を前記予め定めた時間における人の数とする人数演算分析装置と、を有し、
前記人数演算分析装置は、
複数の前記重量センサより前記測定データをそれぞれ受けて蓄積し、前記予め定めた時間経過する毎に、この経過した時間期間に蓄積した前記測定データに含まれる前記重量データの総量を前記測定データに含まれる前記場所情報で示す前記重量センサ毎に演算しこの演算した前記総重量データと前記測定データに含まれる前記場所情報と前記予め定めた時間経過したときの時点を示すカレンダーデータとを含む測定演算データを前記場所情報で示す前記重量センサ毎に送信する集中管理装置と、
前記集中管理装置より前記測定演算データを前記場所情報で示す前記重量センサ毎に受け、この測定演算データに含まれる前記総重量データを前記予め定めた人体平均体重で割り、この割った値を、前記測定演算データに含まれる前記カレンダーデータで示す時点における前記場所情報で示す場所での人の数とする人数分析装置と、
を備え、
前記カレンダーデータは年月日時刻データを含み、前記人数分析装置は、前記カレンダーデータに基づいて前記人の数を分析し、前記場所情報で示す場所毎に、日毎の時刻に対応する人数、週毎の曜日に対応する人数、月毎の日にちに対応する人数、年毎の月に対応する人数、そして、年毎の季節に対応する人数のデータを分析結果として出力するようにしている。
【００１２】
また、本発明の人数自動測定システムは、前記人数演算分析装置とインターネットを含む網により接続する、ユーザ端末とサーバとを更に備え、
前記ユーザ端末は、前記人数演算分析装置の分析結果を前記サーバに要求しこの要求に対応する前記する前記分析結果を前記サーバより受けて表示し、
前記サーバは、前記ユーザ端末より前記要求を受け前記人数演算分析装置にこの要求で示す前記分析結果の送信指示を送り、この送信指示に対応する前記分析結果を前記人数演算分析装置より受け、この分析結果を前記ユーザ端末に送り、
前記人数演算分析装置は、前記サーバより前記分析結果の前記送信指示を受け、この送信指示に対応する分析結果を前記サーバに送るようにしている。
【００１３】
更に、本発明の人数自動測定システムは、前記人数演算分析装置とインターネットを含む網により接続する、ユーザ端末とサーバとを更に備え、
前記ユーザ端末は、人の数を知りたい場所を指定する場所指定データと、この場所での知りたい分析結果を指定する分析結果指定データとの入力を受けて、この場所指定データとこの分析結果指定データとを前記サーバに送り、前記サーバより、前記場所指定データが指定した場所での前記分析結果指定データが指定した分析結果を受けて表示し、
前記サーバは、前記ユーザ端末より前記場所指定データと前記分析結果指定データとを受け前記人数演算分析装置に前記場所指定データと前記分析結果指定データとを含む送信指示を送り、前記人数演算分析装置より前記送信指示に対応する前記分析結果を受け、この分析結果を前記ユーザ端末に送り、
前記人数演算分析装置により、前記サーバより前記送信指示を受け、この送信指示に含まれる前記場所指定データが指定する場所での前記分析結果指定データが指定する分析結果を前記サーバに送るようにしている。
【００１４】
また、本発明の人数自動測定システムの前記重量センサは、交差点、又は商店街の道路を含むエリアに設置され、このエリアを利用する人の数を推定するためにこの重量センサに掛かった重さを測定する。
【００１６】
本発明の人数演算分析装置は、人の数を測定する場所にそれぞれ設置されたそれぞれの重量センサが測定した重量データとこの重量データを測定した場所情報とを含むそれぞれの測定データを、前記重量センサが前記重量を測定する毎に、前記重量センサより受けて蓄積し、予め定めた時間経過する毎に、この経過した時間期間に蓄積した前記測定データに含まれる前記重量データの総量を前記測定データに含まれる前記場所情報で示す前記重量センサ毎に演算しこの演算した総重量データと前記場所情報と前記予め定めた時間経過したときの時点を示すカレンダーデータとを含む測定演算データを前記場所情報で示す前記重量センサ毎に出力する集中管理手段と、
前記集中管理手段が出力した前記測定演算データを前記場所情報で示す前記重量センサ毎に受け、この測定演算データに含まれる前記総重量データを予め定めた人体平均体重で割り、この割った値を、前記測定演算データに含まれる前記カレンダーデータで示す時点における前記場所情報で示す場所での人の数とする人数分析手段と、
を備え、
前記カレンダーデータは年月日時刻データを含み、前記人数分析手段は、前記カレンダーデータに基づいて前記人の数を分析し、前記場所情報で示す場所毎に、日毎の時刻に対応する人数、週毎の曜日に対応する人数、月毎の日にちに対応する人数、年毎の月に対応する人数、そして、年毎の季節に対応する人数のデータを分析結果として出力するようにしている。
【００１７】
また、本発明の人数演算分析装置の前記重量センサは、交差点、又は商店街の道路を含むエリアに設置され、このエリアを利用する人の数を推定するためにこの重量センサに掛かった重さを測定する。
【００２０】
本発明の人数自動測定方法は、インターネットを含む網により、予め定めたエリアにいる人の数を演算し分析する人数演算分析装置と、ユーザ端末と、サーバとを接続し、前記ユーザ端末からの要求により前記人数演算分析装置が分析した人の数の分析結果を前記ユーザ端末に表示するようにした人数自動測定方法であって、
人の数を測定するそれぞれの場所に設置された重量センサにより、予め定めたタイミング毎に自の重量センサに掛かる重量を測定しこの測定した重量データとこの重量データを測定した場所情報とを含む測定データを前記重量を測定する毎に送信するステップと、
前記人数演算分析装置により、前記重量センサより前記測定データをそれぞれ受けて蓄積し、予め定めた時間経過する毎に、この経過した時間期間に蓄積した前記測定データに含まれる前記重量データの総量を前記測定データに含まれる前記場所情報で示す前記重量センサ毎に演算して総重量データを求め、総重量データを求める毎にこの求めた総重量データを予め定めた人体平均体重で割り、この割った値を、前記予め定めた時間経過したときの時点における前記場所情報で示す場所での人の数とするステップと、
前記人数演算分析装置により、予め定めた時間経過する毎に求めた前記予め定めた時間経過したときの時点における前記場所情報で示す場所での前記人の数を分析し、前記場所情報で示す場所毎に、日毎の時刻に対応する人数、週毎の曜日に対応する人数、月毎の日にちに対応する人数、年毎の月に対応する人数、そして、年毎の季節に対応する人数のデータを分析結果として出力するステップと、
前記ユーザ端末により、前記人数演算分析装置の分析結果を前記サーバに要求するステップと、
前記サーバにより、前記ユーザ端末より前記要求を受け前記人数演算分析装置にこの要求で示す前記分析結果の送信指示を送るステップと、
前記人数演算分析装置により、前記サーバより前記分析結果の前記送信指示を受け、この送信指示に対応する分析結果を前記サーバに送るステップと、
前記サーバにより、前記送信指示に対応する前記分析結果を前記人数演算分析装置より受け、この分析結果を前記ユーザ端末に送るステップと、
前記ユーザ端末により、前記サーバより前記分析結果を受けて表示するステップと、
を含んで構成されている。
【発明の効果】
【００２１】
本発明によれば、所定の設置場所に設置された重量センサにより、予め定めたタイミング毎にこの設置場所に印加される重量を測定しその結果得られる重量データをこのタイミング毎に出力する。人数演算分析装置は、この重量データを予め定めた時間積算して総重量データを求め、この総重量データを予め定めた人体平均体重で割りこの割った値を予め定めた時間における人の数とする。
【００２２】
このように、本発明は、所定の設置場所に設置した重量センサから得た重量データに基づいて演算した総重量データを人体平均体重で割り、この割った値を人の数としている。このため、人数を測定する場所に重量センサを設置することにより、人数を測定する場所に調査員を派遣しないで、人数を測定することができる。また、人数を測定するときに、人手によりデータを取得する必要がない。
【００２３】
更に、重量センサと人数演算分析装置とを常時稼働させることにより、２４時間の連続したデータの取得ができる。このデータを使用することにより、人数に関する詳細な分析をすることができる。
【発明を実施するための最良の形態】
【００２４】
次に、本発明の実施の形態について図面を参照して説明する。
【００２５】
図１は、本発明の人数自動測定システムの第１の実施の形態を示すブロック図である。
【００２６】
図１に示す本実施の形態は、交差点に設置した重量センサ１ａと、商店街に設置した重量センサ１ｂと、無線ネットワーク７と、人数演算分析装置２と、インターネット８と、ユーザ端末６と、サーバ５とにより構成する。
【００２７】
交差点に設置した重量センサ１ａは、交差点の歩道に敷かれ、予め定めたタイミング毎に、この重量センサ１ａに乗った多数の人の全重量を測定する。そして、この測定データを、測定する毎に無線ネットワーク７を介して、人数演算分析装置２に送る。予め定めたタイミングとは、例えば、赤信号から青信号に切り替わったときである。このときには、赤信号の時に青信号を待つために多くの人が立ち止まっていると予想される。
【００２８】
商店街に設置した重量センサ１ｂは、例えば両側が商店で満たされた商店街の道路に敷き詰めて設置され、予め定めたタイミング毎に、この重量センサ１ｂに乗った多数の人の全重量を測定する。そして、この測定データを、測定する毎に無線ネットワーク７を介して、人数演算分析装置２に送る。予め定めたタイミングとは、例えば、５分である。この値は、例えば、５秒から６０分の間のどの値でも良いが、人数測定に適する値を適宜選択できる。
【００２９】
人数演算分析装置２は、交差点重量センサ１ａ、商店街重量センサ１ｂ等の重量センサ１から受けた測定データに基づいてこのセンサの設置された場所における人の数を求め、分析する。
【００３０】
ユーザ端末６は、ユーザの操作に従い、人数演算分析装置２の分析結果をサーバ５に要求しこの要求に対応する分析結果をサーバ５より受けて表示する。
【００３１】
サーバ５は、ユーザ端末６より分析結果の要求を受け人数演算分析装置２にこの要求で示す分析結果の送信指示を送り、この送信指示に対応する分析結果を人数演算分析装置２より受け、この分析結果をユーザ端末６に送る。
【００３２】
人数演算分析装置２は、集中管理装置３と、人数分析装置４とにより構成する。
【００３３】
網、例えばインターネット８は、人数演算分析装置２の人数分析装置４とユーザ端末６とサーバ５とを接続する。
【００３４】
集中管理装置３は、交差点重量センサ１ａ、商店街重量センサ１ｂ等の重量センサ１が測定した測定データを、重量センサ１が測定する毎に、この重量センサ１より受けて蓄積する。測定データは、重量データとこの重量データを測定した場所情報とを含む。そして、予め定めた時間経過する毎に、この経過した時間期間に蓄積した測定データに含まれる重量データの総量をこの測定データに含まれる場所情報で示す場所に設置された重量センサ１毎に演算する。予め定めた時間とは、例えば、３時間である。この値は、例えば、１５分から６時間の間のどの値でも良いが、システムにより適する値を適宜選択できる。そして、この演算した総重量データと場所情報と予め定めた時間経過したときの時点を示すカレンダーデータとを含む測定演算データを場所情報で示す重量センサ１毎に人数分析装置４に無線ネットワーク７を介して送信する。カレンダーデータは、例えば、年月日時刻を示すデータである。
【００３５】
人数分析装置４は、集中管理装置３より測定演算データを場所情報で示す重量センサ１毎に受け、この測定演算データに含まれる総重量データを予め定めた人体平均体重で割る。この割った値を、測定演算データに含まれるカレンダーデータで示す時点における場所情報で示す場所での人の数として例えばディスプレイ装置に表示する。
【００３６】
また、人数分析装置４は、カレンダーデータに基づいて、場所情報で示す場所毎に、人の数を分析し分析結果を作成する。すなわち、場所毎に、日毎の時刻に対応する人の数、週毎の曜日に対応する人の数、月毎の日にちに対応する人の数、年毎の月に対応する人の数、及び、年毎の季節に対応する人の数のデータを分析結果とする。
次に、本実施の形態の人数自動測定システムの動作を図２、図３、図４、図５及び図６を参照して詳細に説明する。
【００３７】
図２は、本発明の実施の形態の動作の一例を示すフローチャートである。
【００３８】
図３は、交差点の歩道に敷いた重量センサの設置状況の一例を示す図である。
【００３９】
図４は、商店街に敷いた重量センサの設置状況の一例を示す図である。
【００４０】
図１において、図２のステップ２１では、歩行者用信号機が、例えば赤信号から青信号に切り替わる毎に、この信号機の制御装置から発生する赤信号から青信号に切り替わったことを示す信号を、図３で示す重量センサ１ａが受ける。そして、この重量センサ１ａは、この信号を受ける毎にこの重量センサ１ａに掛かる重量を測定し、図５に示す測定データを送信する。
【００４１】
測定データは、図５に示すように、重量センサ１の場所情報、重量データを測定したときの時点を示すカレンダーデータ、測定した重量データを含んでいる。
【００４２】
図２のステップ２２では、図４で示す重量センサ１ｂが、例えば５分毎に、この重量センサ１ｂに掛かる重量を測定し、図５に示す測定データを送信する。
【００４３】
図２のステップ２３では、集中管理装置３が、重量センサ１より測定データをそれぞれ受けて蓄積する。そして、予め定めた時間（例えば、３時間）経過する毎に、この経過した時間期間に蓄積した測定データに含まれる重量データの総量を測定データに含まれる場所情報（で示す場所に設置した重量センサ１）毎に演算して総重量データを求める。そして、この総重量データを求める毎に、この総重量データとこの総重量データに対応する場所データと、現時点のカレンダーデータを含む測定演算データを場所情報（で示す場所に設置した重量センサ１）毎に人数分析装置４に送る。
【００４４】
測定演算データは、図６に示すように、重量センサ１の場所情報、現時点のカレンダーデータ、総重量データを含んでいる。
【００４５】
測定演算データに含まれるカレンダーデータは、測定演算データを送るときのカレンダーデータである。このカレンダーデータは、例えば、「＊＊＊＊年、＊＊月、＊＊日、００時００分００秒」、「＊＊＊＊年、＊＊月、＊＊日、０３時００分００秒」、「＊＊＊＊年、＊＊月、＊＊日、０６時００分００秒」、・・・・「＊＊＊＊年、＊＊月、＊＊日、２３時００分００秒」のように、分と秒がゼロの時点になるように処理する。
【００４６】
図２のステップ２４では、人数分析装置４が、集中管理装置３より、測定演算データを受ける。そして、受ける毎に、この測定演算データに含まれる総重量データを予め定めた人体平均体重（Ｗ）で割り、測定演算データに含まれる場所情報で示す場所での人数を求め格納し、この人数を表示する。この人数は、測定演算データに含まれるカレンダーデータで示す時点における場所情報で示す場所での人数である。
【００４７】
人体平均体重（Ｗ）は、例えば、自由に外を出歩くことができる年齢（例えば、７歳から７５歳）の人の体重を加重平均したものであり、例えば、Ｗ＝Σ（Ｎｉ・Ｗｉ）／Σ（Ｎｉ）、但し、ｉ＝７〜７５である。ここで、Ｎｉはｉ才の人の人口数、Ｗｉはｉ才の人の平均体重、Σは総和記号である。人口数、平均体重は、この発明を実施する国の統計値を使用する。
【００４８】
図２のステップ２５では、人数分析装置４が、ステップ２４で人数を求めるたびに、カレンダーデータに基づいて、場所情報で示す場所毎に、人の数を分析し分析結果を作成する。すなわち、場所毎に、日毎の時刻に対応する人の数、週毎の曜日に対応する人の数、月毎の日にちに対応する人の数、年毎の月に対応する人の数、及び、年毎の季節に対応する人の数のデータを分析結果とし格納する。
【００４９】
一方、図２のステップ２６では、ユーザがユーザ端末６に、人数の分析結果を入手するための人数分析データ提供サービスを提供するＷＥＢサイトのＵＲＬを入力すると、ユーザ端末６は、ＵＲＬへのアクセスを開始する。
【００５０】
図２のステップ２７では、このＵＲＬに対応するサーバ５は、ユーザ端末６よりアクセスを受け、人数分析データ提供サービスを提供する登録画面をユーザ端末６に送る。
【００５１】
図２のステップ２８では、ユーザ端末６が、サーバ５より登録画面を受けこの登録画面を表示する。ユーザは、この画面を見て、メールアドレス、銀行口座等登録に必要な項目を入力する。ユーザ端末６は、この入力された項目をサーバ５に送る。
【００５２】
図２のステップ２９では、サーバ５は、これらの項目を受けて、ユーザ端末６にログインＩＤを送る。
【００５３】
図２のステップ３０では、ユーザ端末６は、このログインＩＤを受けて表示し、ユーザの操作に従って入力されたこのログインＩＤをサーバ５に送る。
【００５４】
図２のステップ３１では、サーバ５は、このログインＩＤを受けて認証し、認証できたとき、希望する分析結果を要求するための要求画面を送る。
【００５５】
図２のステップ３２では、ユーザ端末６は、要求画面を受けて表示し、ユーザの操作に従って入力された、分析結果の要求をサーバ５に送る。分析結果の要求とは、人の数を知りたい場所を指定する場所指定データと、この場所での知りたい分析結果を指定する分析結果指定データとを含む。これにより、例えば、交差点のｘｘ年ｘｘ月ｘｘ日のデータの要求を送る。
【００５６】
図２のステップ３３では、サーバ５は、この要求データを受け、人数分析装置４にこの要求データ（送信指示）を送る。
【００５７】
図２のステップ３４では、人数分析装置４は、この要求データを受け、この要求データで示す要求に応じたデータをステップ２５で格納した分析結果より取り出し、サーバ５に送る。例えば、要求データで示す場所指定データが交差点で、分析結果指定データがｘｘ年ｘｘ月ｘｘ日を示すときには、ステップ２５で格納した分析結果より、この交差点のｘｘ年ｘｘ月ｘｘ日の、０時から２４時までの、例えば３時間毎のこれらの時刻に対応する人数を取り出し、サーバ５に送る。
【００５８】
図２のステップ３５では、サーバ５は、人数分析装置４より、交差点のｘｘ年ｘｘ月ｘｘ日のデータを受け、ユーザ端末６に送る。
【００５９】
図２のステップ３６では、ユーザ端末６は、サーバ５より、交差点のｘｘ年ｘｘ月ｘｘ日のデータを受け、表示する。ユーザは、更に、他の分析結果の入手を希望するときには、ユーザ端末６に、希望する分析結果の要求を入力し、ステップ３３へと続ける。一方、ユーザは、このサービスを終了したいときには、この画面を終了する入力を行いユーザ端末６は、この入力に従って、終了情報をサーバ５に送り、この画面を終了する。
【００６０】
図２のステップ３７では、サーバ５は、ユーザ端末６より終了情報を受け、ユーザ端末６よりログインＩＤを受けたときから終了情報を受けたときまでの時間によって、このユーザ端末６に課金する。あるいは、ユーザ端末６よりログインＩＤを受けたときから終了情報を受けたときまでにユーザ端末６に送った分析結果データ数によって、このユーザ端末６に課金する。課金した料金は例えば月ごとに登録された銀行口座より引き落とす。
【００６１】
以上、説明したように、本実施の形態によれば、人数を測定するときに、人数を測定する場所に調査員を派遣する必要がない。また、人数を測定するときに、人手によりデータを取得する必要がなく、正確なデータの取得ができる。更に、重量センサ１と人数演算分析装置２とを常時稼働させることにより、２４時間の連続したデータの取得ができる。このデータを使用することにより、人数に関する詳細な分析をすることができる。
【００６２】
また、ユーザは、ユーザ端末６を操作してサーバ５に接続することにより、入手を希望する場所での必要な分析結果を必要なときに入手することができる。
【００６３】
図７は、本発明の人数自動測定システムの第２の実施の形態を示すブロック図である。
【００６４】
図７に示す本実施の形態は、交差点に設置した重量センサ１ａと、商店街に設置した重量センサ１ｂと、無線ネットワーク７と、人数演算分析装置９と、インターネット８と、ユーザ端末６と、サーバ５とにより構成する。
【００６５】
第１の実施の形態とは、人数演算分析装置９のみ異なり、他の構成要素は同様の機能を有している。同様の構成要素には同一の符号を付け、説明を省略する。
【００６６】
インターネット８は、人数演算分析装置９とユーザ端末６とサーバ５とを接続する。
【００６７】
人数演算分析装置９は、集中管理部９１と、人数分析部９２と、記憶部９３と、表示部９４と、制御部９５とにより構成する。
【００６８】
集中管理部９１は、交差点重量センサ１ａ、商店街重量センサ１ｂ等の重量センサ１が測定した測定データを、重量センサ１が測定する毎に、この重量センサ１より受けて蓄積する。測定データは、重量データとこの重量データを測定した場所情報とを含む。そして、予め定めた時間経過する毎に、この経過した時間期間に蓄積した測定データに含まれる重量データの総量をこの測定データに含まれる場所情報で示す場所に設置された重量センサ１毎に演算する。予め定めた時間とは、例えば、３時間である。この値は、例えば、１５分から６時間の間のどの値でも良いが、システムにより適する値を適宜選択できる。そして、この演算した総重量データと場所情報と予め定めた時間経過したときの時点を示すカレンダーデータとを含む測定演算データを場所情報で示す重量センサ１毎に人数分析部９２に出力する。カレンダーデータは、例えば、年月日時刻を示すデータである。
【００６９】
人数分析部９２は、集中管理部９１より測定演算データを場所情報で示す重量センサ１毎に受け、この測定演算データに含まれる総重量データを予め定めた人体平均体重で割る。この割った値を、測定演算データに含まれるカレンダーデータで示す時点における場所情報で示す場所での人の数として表示部９４に表示する。
【００７０】
また、人数分析部９２は、カレンダーデータに基づいて、場所情報で示す場所毎に、人の数を分析し分析結果を作成する。すなわち、場所毎に、日毎の時刻に対応する人の数、週毎の曜日に対応する人の数、月毎の日にちに対応する人の数、年毎の月に対応する人の数、及び、年毎の季節に対応する人の数のデータを分析結果とする。
【００７１】
記憶部９３は、人数演算分析装置９の備えた機能を実現するためのプログラム、人数分析部９２が分析した分析結果等を格納する。
【００７２】
制御部９５は、例えばコンピュータであり、重量センサから受けた測定データに基づいてこのセンサの設置された場所における人の数を求める機能等の人数演算分析装置９の備えた機能を実現する。また、人数演算分析装置９全体を制御する。
【００７３】
次に、本実施の形態の人数自動測定システムの動作を図３、図４、図５、図６及び図８を参照して詳細に説明する。
【００７４】
図８は、本発明の実施の形態の動作の一例を示すフローチャートである。
【００７５】
図７の実施の形態において、図８のステップ８１とステップ８２とは、第１の実施の形態の図２のステップ２１と図２のステップ２２と同じである。
【００７６】
次に、図８のステップ８３では、人数演算分析装置９の集中管理部９１が、重量センサ１より測定データをそれぞれ受けて記憶部９３に蓄積する。そして、予め定めた時間（例えば、３時間）経過する毎に、この経過した時間期間に蓄積した測定データに含まれる重量データの総量を測定データに含まれる場所情報（で示す場所に設置した重量センサ１）毎に演算して総重量データを求める。そして、この総重量データを求める毎に、この総重量データとこの総重量データに対応する場所データと、現時点のカレンダーデータを含む測定演算データを場所情報（で示す場所に設置した重量センサ１）毎に人数分析部９２に出力する。
【００７７】
測定演算データとカレンダーデータは、第１の実施の形態と同じである。このカレンダーデータは、第１の実施の形態と同様に、分と秒がゼロの時点になるように処理する。
【００７８】
図８のステップ８４では、人数分析部９２が、集中管理部９１より、測定演算データを受ける。そして、受ける毎に、この測定演算データに含まれる総重量データを予め定めた人体平均体重（Ｗ）で割り、測定演算データに含まれる場所情報で示す場所での人数を求め記憶部９３に格納し、この人数を表示部９４に表示する。この人数は、測定演算データに含まれるカレンダーデータで示す時点における場所情報で示す場所での人数である。人体平均体重（Ｗ）は、第１の実施の形態と同じである。
【００７９】
図８のステップ８５では、人数分析部９２が、ステップ８４で人数を求めるたびに、カレンダーデータに基づいて、場所情報で示す場所毎に、人の数を分析し分析結果を作成する。すなわち、場所毎に、日毎の時刻に対応する人の数、週毎の曜日に対応する人の数、月毎の日にちに対応する人の数、年毎の月に対応する人の数、及び、年毎の季節に対応する人の数のデータを分析結果とし記憶部９３に格納する。
【００８０】
一方、ユーザ端末６とサーバ５の動作に関し、図８のステップ８６から図８のステップ９２は、図２のステップ２６から図２のステップ３２と同じである。
【００８１】
次に、図８のステップ９３では、サーバ５は、ステップ９２で送られた要求データを受け、人数演算分析装置９にこの要求データ（送信指示）を送る。
【００８２】
図８のステップ９４では、人数演算分析装置９は、この要求データを受け、この要求データで示す要求に応じたデータをステップ８５で格納した分析結果より取り出し、サーバ５に送る。例えば、要求データで示す場所指定データが交差点で、分析結果指定データがｘｘ年ｘｘ月ｘｘ日を示すときには、ステップ８５で格納した分析結果より、この交差点のｘｘ年ｘｘ月ｘｘ日の、０時から２４時までの、例えば３時間毎のこれらの時刻に対応する人数を取り出し、サーバ５に送る。
【００８３】
図８のステップ９５では、サーバ５は、人数演算分析装置９より、交差点のｘｘ年ｘｘ月ｘｘ日のデータを受け、ユーザ端末６に送る。
【００８４】
図８のステップ９６では、ユーザ端末６は、サーバ５より、交差点のｘｘ年ｘｘ月ｘｘ日のデータを受け、表示する。ユーザは、更に、他の分析結果の入手を希望するときには、ユーザ端末６に、希望する分析結果の要求を入力し、ステップ９３へと続ける。一方、ユーザは、このサービスを終了したいときには、この画面を終了する入力を行いユーザ端末６は、この入力に従って、終了情報をサーバ５に送り、この画面を終了する。
【００８５】
図８のステップ９７は、図２のステップ３７と同じである。
【００８６】
以上、説明したように、本実施の形態のよれば、人数を測定するときに、人数を測定する場所に調査員を派遣する必要がない。また、人数を測定するときに、人手によりデータを取得する必要がなく、正確なデータの取得ができる。更に、重量センサ１と人数演算分析装置９とを常時稼働させることにより、２４時間の連続したデータの取得ができる。このデータを使用することにより、人数に関する詳細な分析をすることができる。
【００８７】
また、ユーザは、ユーザ端末６を操作してサーバ５に接続することにより、入手を希望する場所での必要な分析結果を必要なときに入手することができる。
【００８８】
以上説明した第１と第２の実施の形態では、重量センサ１を、交差点と商店街の道路に設置したが、これにこだわることなく例えば公園等の人の集まる場所に設置して良い。また、重量センサ１を、二つ設置したときの例を示したが、重量センサ１を多数設置して良い。更に、日毎の時刻に対応する人の数、週毎の曜日に対応する人の数、月毎の日にちに対応する人の数、年毎の月に対応する人の数、及び、年毎の季節に対応する人の数のデータを分析結果としたが、これに限定することなく、人数に関する各種統計処理を含めた各種処理を分析結果として良い。
【図面の簡単な説明】
【００８９】
【図１】本発明の人数自動測定システムの第１の実施の形態を示すブロック図である。
【図２】第１の実施の形態の動作の一例を示すフローチャートである。
【図３】交差点の歩道に敷いた重量センサの設置状況の一例を示す図である。
【図４】商店街に敷いた重量センサの設置状況の一例を示す図である。
【図５】測定データの構成の一例を示す図である。
【図６】測定演算データの構成の一例を示す図である。
【図７】本発明の人数自動測定システムの第２の実施の形態を示すブロック図である。
【図８】第２の実施の形態の動作の一例を示すフローチャートである。
【符号の説明】
【００９０】
１    重量センサ
２    人数演算分析装置
３    集中管理装置
４    人数分析装置
５    サーバ
６    ユーザ端末
７    無線ネットワーク
８    インターネット
９    人数演算分析装置
９１    集中管理部
９２    人数分析部
９３    記憶部
９４    表示部
９５    制御部
【図１】
0004665412.tif 000002
【図２】
0004665412.tif 000003
【図３】
0004665412.tif 000004
【図４】
0004665412.tif 000005
【図５】
0004665412.tif 000006
【図６】
0004665412.tif 000007
【図７】
0004665412.tif 000008
【図８】
0004665412.tif 000009